(57)【要約】【課題】  スクリーンを路面と垂直に設けることでスクリーンの駆動装置等を不要とした構造簡易でスクリーンに支障が発生せず、スクリーンの清掃がより簡単な清掃車を提供するものである。【解決手段】  ホッパ４の路面Ｆと垂直な前板１６上側にスクリーン１０の上端部１０ａを連結する。スクリーン１０の下端部１０ｂはホッパ４の路面Ｆと垂直な前板１６下側に留め具２６により固定可能となっている。したがって、スクリーン１０は路面Ｆと略垂直に保持され、従来のように塵埃が溜まることによりスクリーン１０が変形する等の問題が発生しない。また、スクリーン１０の清掃時、テールドア１８を開ければ作業者とスクリーン１０が対峙するのでスクリーン１０を移動しなくて良く、スクリーン１０の洗浄が容易となる。【選択図】  図２
2010053585.tif 000002
【特許請求の範囲】
【請求項１】
ホッパに接続されたブロアによってホッパ内の空気を吸引し、その吸引空気により塵埃回収装置を介して路面上の塵埃をホッパ内に回収し、ホッパ内に吸引空気に含まれる塵埃を取り除くスクリーンを設けた清掃車において、スクリーンをホッパに形成されたホッパ内の空気を吸引する開口部を覆うように設け、そのスクリーンを路面と略垂直に設けたことを特徴とする清掃車。
【請求項２】
前記スクリーンの一端をホッパ内に連結部材で揺動可能に設けたことを特徴とする請求項１記載の清掃車。
【請求項３】
前記スクリーンの上部をホッパ内に連結部材で揺動可能に設け、前記スクリーンの下部にスクリーンをホッパ内に固定、固定解除可能な留め具を設け、ホッパ内に前記留め具により、スクリーンを路面と略垂直に保持することを特徴とする請求項１又は２記載の清掃車。
【請求項４】
前記スクリーンをホッパの開口部から離れるにつれて上昇するように僅かに傾斜を有して保持することを特徴とする請求項１から３何れか１項記載の清掃車。
【発明の詳細な説明】
【技術分野】
【０００１】
本発明は、塵埃回収装置とブロアによる吸引空気とによりホッパ内に塵埃を回収し、吸引空気中の塵埃を取り除くスクリーンを設けた清掃車に関する。
【背景技術】
【０００２】
従来の清掃車として特許文献１に記載のものが公知である。特許文献１の清掃車は、ブロアにより空気を吸引し、塵埃回収装置としてのピックアップヘッドにより路面上の塵埃を吸い上げホッパに回収しており、吸引した塵埃を吸引空気中から除去しブロアが塵埃を吸引しないようにするスクリーンをホッパ内に路面と平行に設けてある。スクリーンは、一端が枢支され、他端に駆動装置に一端が連結されたワイヤの他端が連結されている。清掃車は、路面の清掃作業時にはワイヤを引上げてスクリーンの他端を上昇してスクリーンを路面と平行な塵埃除去位置に配置し、スクリーンに塵埃が付着し目詰まりした時にはワイヤを引下げてスクリーンの他端を下降してスクリーンを傾斜した清掃位置に配置する。スクリーンを清掃位置とした状態では、作業者はスクリーンと対峙することとなり、作業者により目詰まり解消のための清掃が行われる。その際、スクリーンの表側（上側面）は容易に清掃できる。しかし、スクリーンの清掃時には、スクリーンを清掃位置とするため駆動装置としての手動ウィンチやワイヤや複数のガイドローラ等が備えられているので、スクリーンを昇降するための構造が複雑となる問題がある。また、駆動装置等でスクリーンを手動で昇降する必要があり、作業が面倒なので、スクリーンの清掃が疎かになっていた。また、スクリーンがポッパに路面に水平に吊り下げられているので、スクリーンの表側やワイヤ等に塵埃が溜まり易く、付着した塵埃の重みでスクリーンが変形したり、手動ウィンチのワイヤが切れたりする等の支障が発生する問題があった。
【０００３】
【特許文献１】特開２００７−２８４８９０号公報
【発明の開示】
【発明が解決しようとする課題】
【０００４】
この発明は、スクリーンを路面と垂直に設けることでスクリーンの駆動装置等を不要とした構造簡易でスクリーンに支障が発生せず、スクリーンの清掃がより簡単な清掃車を提供しようとするものである。
【課題を解決するための手段】
【０００５】
本発明は、ホッパに接続されたブロアによってホッパ内の空気を吸引し、その吸引空気により塵埃回収装置を介して路面上の塵埃をホッパ内に回収し、ホッパ内に吸引空気に含まれる塵埃を取り除くスクリーンを設けた清掃車において、スクリーンをホッパに形成されたホッパ内の空気を吸引する開口部を覆うように設け、そのスクリーンを路面と略垂直に設けたことを特徴とする。また、前記スクリーンの一端をホッパ内に連結部材で揺動可能に設けたことを特徴とする。また、前記スクリーンの上部をホッパ内に連結部材で揺動可能に設け、前記スクリーンの下部にスクリーンをホッパ内に固定、固定解除可能な留め具を設け、ホッパ内に前記留め具により、スクリーンを路面と略垂直に保持することを特徴とする。また、前記スクリーンをホッパの開口部から離れるにつれて上昇するように僅かに傾斜を有して保持することを特徴とする。
【発明の効果】
【０００６】
本願の請求項１の発明では、スクリーンをホッパに形成されたホッパ内の空気を吸引する開口部を覆うように設け、そのスクリーンを路面と略垂直に設けた。また、本願の請求項２の発明では、前記スクリーンの一端をホッパ内に連結部材で揺動可能に設けた。また、本願の請求項３の発明では、前記スクリーンの上部をホッパ内に連結部材で揺動可能に設け、前記スクリーンの下部にスクリーンをホッパ内に固定、固定解除可能な留め具を設け、ホッパ内に前記留め具により、スクリーンを路面と略垂直に保持する。また、本願の請求項４の発明では、前記スクリーンをホッパの開口部から離れるにつれて上昇するように僅かに傾斜を有して保持することを特徴とする。これらの発明により、従来のように駆動装置やワイヤやガイドローラ等を必要とせず、構造簡素化となる。また、スクリーンを路面と垂直に設置したので、スクリーンをスクリーン清掃のために移動しなくてもスクリーンと作業者とが対峙しているので直ちに洗浄が行え、ホッパ内の清掃、メンテナンスが容易となる。また、構造簡素化したこととスクリーンを路面と略垂直にしたことで、スクリーンに塵埃が付着しづらくなり、従来のようなスクリーンが変形する等の支障が発生しない。また、スクリーンの裏側を洗浄したい場合には、ホッパ内のスクリーン下部の取り外し可能な前記留め具をはずし、ホッパをダンプさせることでスクリーンが路面と垂直に保持されてスクリーンの裏側が見えるようになるので、スクリーンの駆動装置等を別に設けてスクリーンを昇降する必要がなく、構造が簡易となる。
【発明を実施するための最良の形態】
【０００７】
本願発明の実施の形態について図１〜図５により説明する。図１に示すように、清掃車１は、車体２上にブロア３とホッパ４とを搭載し、車体２の下部にガッタブルーム５と塵埃回収装置としてのピックアップヘッド６とを装備している。ブロア３は、車体２に設けられた作業用エンジン７により駆動される。ブロア３は圧送ダクト８を介してピックアップヘッド６と連通し、そのピックアップヘッド６は後方上部に傾斜して配置された吸引ダクト９を介してホッパ４に連通している。この清掃車１は、ブロア３によりホッパ４内の空気を吸引し、また、ブロア３による空気流を圧送ダクト８を介してピックアップヘッド６に送り、ガッタブルーム５で掃き集めた路面Ｆ上の塵埃をピックアップヘッド６より吸い上げ、吸引ダクト９を介してホッパ４に回収するように構成されている。そして、ホッパ４内にはスクリーン１０が設けられている。
【０００８】
図２〜図４に示すように、ホッパ４は天板１１、左側板１２、右側板１３、底板１４、後板１５、路面Ｆと垂直な前板１６、ブロア３に隣接する前カバー１７、上部を後板１５に蝶着されているテールドア１８で囲まれて構成されている。前カバー１７の傾斜面には粉塵貯留箱１９が設けられており、ブロア３に一体に備えられた図示しない遠心式粉塵分離装置により吸引空気流から遠心力により分離された粉塵が貯留される。路面Ｆと垂直な前板１６にはホッパ４内の吸引空気を吸引する開口部２０が形成され、開口部２０を覆うようにスクリーン１０を設けてある。また、ホッパ４はホッパフレーム２１を備えており、周知のようにホッパフレーム２１の揺動支点２２が車体２に枢着され、ホッパフレーム２１のシリンダ取付部２３と車体２との間に介装された図示しないダンプシリンダにより揺動支点２２を中心に後方にダンプできるようになっている。
【０００９】
スクリーン１０は、矩形のフレームに細かいゴミが通過可能な金網またはエキスパンドメタルを張設して構成されている。スクリーン１０は、その上端部１０ａがホッパ４の路面Ｆと垂直な前板１６上側に近接した板部材２４に連結部材２５により蝶着されている。スクリーン１０の下端部１０ｂはホッパ４の路面Ｆと垂直な前板１６下側に後述の留め具２６により固定可能となっている。スクリーン１０を留め具２６により固定した状態では、スクリーン１０は路面Ｆと略垂直に保持され、図２に示すようにホッパ４の開口部２０から離れるにつれて上昇するように僅かに傾斜即ち数度程度の傾斜を有して保持されている。尚、スクリーン１０は、スクリーン１０の塵埃側面（ホッパ内側に向く面）１０ｄをホッパ４の開口部２０側上方に向けて僅かに傾斜して設けてもよい。これは、スクリーン１０を固定するピン部材３０を抜脱した際、ホッパ４の路面Ｆと垂直な前板１６とスクリーン１０との間に隙間を発生させ、スクリーン１０の清掃を容易とするためである。
【００１０】
前記留め具２６は、図５に示すように、ホッパ４の路面Ｆと垂直な前板１６の車幅方向両端中央付近に接合したピン固定部材２７と、スクリーン１０の下端部１０ｂに設けられたピン挿通部２８と、スクリーン１０の下端部１０ｂから紐状部材としてのワイヤー２９で連結されたピン部材３０で構成される。清掃作業等の通常状態では、ピン部材３０をピン固定部材２７に穿設された固定用孔３１とピン挿通部２８に穿設された被固定用孔３２とに挿通させ、スクリーン１０をホッパ４に固定する。また、ホッパ４内の清掃、メンテナンス時にはピン部材３０をピン固定部材２７とピン挿通部２８とから抜脱して固定を解除し、スクリーン１０をホッパ４に対して揺動可能としている。ピン部材３０は抜脱された状態でもワイヤー２９で連結されているので紛失することはない。
【００１１】
次に動作について説明する。この清掃車１において、通常状態では、図２で示すようにスクリーン１０が路面Ｆに対して略垂直に保持された塵埃除去位置Ａとされている。この状態で路面Ｆの清掃作業が行われると、ピックアップヘッド６によりホッパ４内に吸引空気により塵埃Ｄが吸引され、空き缶等の重い塵埃Ｄはホッパ４内に落下し、また、スクリーン１０により吸引空気中から紙屑等の軽くて大きな塵埃Ｄが除去されてホッパ４内に収容され、図１に示すようにこれら塵埃Ｄがホッパ４内に収容される。スクリーン１０を通った粉塵を含んだ吸引空気流は、前記ブロア３に備えられた図示しない遠心式塵埃分離装置により塵埃が遠心力により分離されて粉塵貯留箱１９に収容される。一方、粉塵が分離された吸引空気流はブロア３から再びピックアップヘッド６に流れて循環する。このとき、スクリーン１０が路面Ｆに対して略垂直に保持されているので、塵埃が付着しにくく溜まりづらい利点がある。特に図２に示すように、スクリーン１０の塵埃側面（ホッパ内側に向く面）１０ｄ、吸引側面１０ｃの両面共、略垂直に配置されているので、塵埃は、スクリーン１０の両面に付着しづらくなっている。このため、スクリーン１０の清掃間隔が長くなりメンテナンス性が向上すると共に、従来のように塵埃が大量に溜まることによりスクリーン１０が変形する等の問題が発生しない。
【００１２】
路面Ｆの清掃作業によりスクリーン１０には塵埃が付着して目詰まりが生じる。この目詰まり解消の際には、図示しない開閉シリンダでテールドア１８を開けて作業者はまず前記塵埃除去位置Ａでスクリーン１０をスクリーン１０の塵埃側面１０ｄから洗浄する。塵埃除去位置Ａではスクリーン１０が路面Ｆと略垂直に保持されているので、スクリーン１０を移動することなく作業者はスクリーン１０と対峙することとなり、簡単に清掃作業が行える。また、作業者がホッパ４内で洗浄作業を行っても、スクリーン１０に残留している塵埃や汚水が作業者に垂れてくることがない。スクリーン１０の清掃時、スクリーン１０を路面Ｆに対して略垂直としたのでスクリーン１０を駆動しないので、従来のような駆動装置等が不要になり構造簡易となる。また、前記スクリーン１０の清掃作業でも目詰まりが解消できない場合、作業者はホッパ４を図示しないダンプシリンダで所定の位置までダンプさせ、スクリーン１０の吸引側面（ホッパ外側に向く面）１０ｃを洗浄する。その際、留め具２６のピン部材３０を予め抜脱しておくことで、スクリーン１０は固定解除されホッパ４の前後方向に揺動可能となり、ホッパ４がダンプした状態であっても、常に路面Ｆと垂直に保持され、スクリーン１０の吸引側面１０ｃの洗浄が容易となる。尚、ホッパ４内の清浄、メンテナンス作業は留め具２６のピン部材３０を予め抜脱して行うが、留め具２６にシリンダやストッパ等を設け、ホッパ４がダンプしてもスクリーン１０が所定の位置を越えて揺動しないよう、制御しても良い。
【図面の簡単な説明】
【００１３】
【図１】本願発明の清掃車の側面図である。
【図２】清掃車のホッパを示す側面の説明図である。
【図３】図２のＩＩＩ視図である。
【図４】図２のホッパをダンプさせた説明図である。
【図５】留め具とピン挿通部の説明図である。
【符号の説明】
【００１４】
１    清掃車
３    ブロア
４    ホッパ
６    ピックアップヘッド（塵埃回収装置）
１０  スクリーン
２０  開口部
２５  連結部材
２６  留め具
Ｆ    路面
【図１】
2010053585.tif 000003
【図２】
2010053585.tif 000004
【図３】
2010053585.tif 000005
【図４】
2010053585.tif 000006
【図５】
2010053585.tif 000007